(57)【要約】【課題】光ディスクに情報を記録する際のレーザ光のパワーを精度良く決定することができる記録パワー決定方法を提供する。【解決手段】光ディスクの所定領域からの反射光に基づいて取得された反射率に関する値及びベータ値を用いて記録品質に関する値を取得し（ステップ５０５〜５２１）、その記録品質に関する値に基づいて記録パワーを決定する（ステップ５２３、５２５）。記録品質に関する値は、反射率に関する値に及ぼす記録パワーの影響と、ベータ値に及ぼす記録パワーの影響とが含まれるため、記録パワーに対して高い感度を有することとなる。そこで、予め実験などにより最適な記録パワーに対応する記録品質に関する値を最適値として求めておくことにより、記録品質に関する値と最適値との差から最適な記録パワーを精度良く取得することが可能となる。【選択図】図６
2005116027.tif 000002
【特許請求の範囲】
【請求項１】
光ディスクの記録面に情報を記録する際のレーザ光の記録パワーを決定する記録パワー決定方法であって、
前記光ディスクの記録面における所定の既記録領域からの反射光に基づいて取得された前記既記録領域の反射率に関する値及びベータ値に基づいて、前記記録パワーを決定する工程を含む記録パワー決定方法。
【請求項２】
前記工程では、前記反射率に関する値Ｒ、前記ベータ値β、既知の係数ａ及びｂを用いて、（ａ×β）＋（ｂ×Ｒ）で示される値に基づいて、前記記録パワーを決定することを特徴とする請求項１に記載の記録パワー決定方法。
【請求項３】
前記係数ａ及びｂの少なくとも一方は、前記光ディスクのベンダーに対応していることを特徴とする請求項２に記載の記録パワー決定方法。
【請求項４】
前記係数ａ及びｂの少なくとも一方は、前記情報を記録する際の前記光ディスクの線速度に対応していることを特徴とする請求項２又は３に記載の記録パワー決定方法。
【請求項５】
前記光ディスクは、ＤＶＤ＋Ｒ又はＤＶＤ＋ＲＷの規格に準拠した光ディスクであることを特徴とする請求項１〜４のいずれか一項に記載の記録パワー決定方法。
【請求項６】
前記反射率に関する値は、前記既記録領域からの反射光に基づいて取得されたＨＦ信号の平均レベルＩave、及び前記既記録領域に所定のデータが書き込まれたときのレーザ光のパワーＰwを用いて、（Ｉave÷Ｐw）で示される値であることを特徴とする請求項５に記載の記録パワー決定方法。
【請求項７】
前記反射率に関する値は、前記既記録領域からの反射光に基づいて取得されたＨＦ信号の平均レベルＩave、及び前記ＨＦ信号の振幅Ｉwを用いて、（Ｉave÷Ｉw）で示される値であることを特徴とする請求項５に記載の記録パワー決定方法。
【請求項８】
前記既記録領域は、所定のテスト用データが書き込まれた試し書き領域であることを特徴とする請求項１〜７のいずれか一項に記載の記録パワー決定方法。
【請求項９】
前記既記録領域は、直前にユーザデータが書き込まれた領域であることを特徴とする請求項１〜７のいずれか一項に記載の記録パワー決定方法。
【請求項１０】
光ディスクの記録面に情報を記録する際のレーザ光の記録パワーを決定する記録パワー決定装置であって、
前記光ディスクの記録面における所定の既記録領域からの反射光に基づいて前記既記録領域の反射率に関する値を取得する反射率取得手段と；
前記既記録領域からの反射光に基づいてベータ値を取得するベータ値取得手段と；
前記反射率に関する値及びベータ値に基づいて前記記録パワーを決定する決定手段と；を備える記録パワー決定装置。
【請求項１１】
前記決定手段は、前記反射率に関する値Ｒ、前記ベータ値β、既知の係数ａ及びｂを用いて、（ａ×β）＋（ｂ×Ｒ）で示される値に基づいて前記記録パワーを決定することを特徴とする請求項１０に記載の記録パワー決定装置。
【請求項１２】
前記係数ａ及びｂの少なくとも一方は、前記光ディスクのベンダーに対応していることを特徴とする請求項１１に記載の記録パワー決定装置。
【請求項１３】
前記係数ａ及びｂの少なくとも一方は、前記情報を記録する際の前記光ディスクの線速度に対応していることを特徴とする請求項１１又は１２に記載の記録パワー決定装置。
【請求項１４】
前記光ディスクはＤＶＤ＋Ｒ又はＤＶＤ＋ＲＷの規格に準拠した光ディスクであることを特徴とする請求項１０〜１３のいずれか一項に記載の記録パワー決定装置。
【請求項１５】
前記反射率取得手段は、前記既記録領域からの反射光に基づいて取得されたＨＦ信号の平均レベルＩave、及び前記既記録領域にデータが書き込まれたときのパワーＰwを用いて、（Ｉave÷Ｐw）で示される値を前記反射率に関する値として取得することを特徴とする請求項１４に記載の記録パワー決定装置。
【請求項１６】
前記反射率取得手段は、前記既記録領域からの反射光に基づいて取得されたＨＦ信号の平均レベルＩave、及び前記ＨＦ信号の振幅Ｉwを用いて、（Ｉave÷Ｉw）で示される値を前記反射率に関する値として取得することを特徴とする請求項１４に記載の記録パワー決定装置。
【請求項１７】
前記既記録領域は、所定のテスト用データが書き込まれた試し書き領域であることを特徴とする請求項１０〜１６のいずれか一項に記載の記録パワー決定装置。
【請求項１８】
前記既記録領域は、直前にユーザデータが書き込まれた領域であることを特徴とする請求項１０〜１６のいずれか一項に記載の記録パワー決定装置。
【請求項１９】
光ディスクにレーザ光を照射して、情報の記録、再生及び消去のうち少なくとも記録を行なう光ディスク装置であって、
前記レーザ光の記録パワーを決定する請求項１０〜１８のいずれか一項に記載の記録パワー決定装置と；
前記決定された記録パワーで前記光ディスクにデータを記録するデータ記録手段と；を備える光ディスク装置。
【発明の詳細な説明】
【技術分野】
【０００１】
本発明は、記録パワー決定方法、記録パワー決定装置及び光ディスク装置に係り、更に詳しくは、光ディスクに情報を記録する際のレーザ光の記録パワーを決定する記録パワー決定方法、記録パワー決定装置、及び該記録パワー決定装置を備える光ディスク装置に関する。
【背景技術】
【０００２】
近年、デジタル技術の進歩、及びデータ圧縮技術の向上に伴い、音楽や映像といったＡＶ（Audio-Visual）情報を記録するための媒体としてＣＤ（compact disc）やＤＶＤ（digital versatile disc）などの光ディスクが注目されるようになり、その低価格化とともに、光ディスクを情報記録の対象媒体とする光ディスク装置が普及するようになった。
【０００３】
この光ディスク装置では、光源からレーザ光を出射し、スパイラル状又は同心円状のトラックが形成された光ディスクの記録面に微小スポットを形成して情報の記録及び消去を行い、記録面からの反射光に基づいて情報の再生などを行っている。
【０００４】
ところで、光ディスクでは、互いに反射率の異なるマーク領域及びスペース領域のそれぞれの長さとそれらの組み合わせとによって情報が記録される。そこで、光ディスクに情報を記録する際には所定の位置にマーク領域及びスペース領域がそれぞれ形成されるように、光源から出射されるレーザ光のパワー（発光パワー）が制御される。
【０００５】
例えば、記録面に有機色素を含むＣＤ−Ｒ（ＣＤ−recordable）、ＤＶＤ−Ｒ（ＤＶＤ−recordable）及びＤＶＤ＋Ｒ（ＤＶＤ＋recordable）などの一度だけ書き込みが可能な光ディスク（以下「追記型光ディスク」ともいう）では、マーク領域を形成するときには発光パワーを大きくして色素を加熱及び溶解し、そこに接しているディスク基板部分を変質・変形させている。一方、スペース領域を形成するときにはディスク基板が変質・変形しないように発光パワーを再生時と同程度に小さくしている。これにより、マーク領域ではスペース領域よりも反射率が低くなる。このような発光パワーの制御方式は、単パルス記録方式とも呼ばれている。なお、マーク領域を形成するときの発光パワーは記録パワーとも呼ばれている。
【０００６】
また、記録面に特殊合金を含むＣＤ−ＲＷ（ＣＤ−rewritable）、ＤＶＤ−ＲＷ（ＤＶＤ−rewritable）、及びＤＶＤ＋ＲＷ（ＤＶＤ＋rewritable）などの書き換え可能な光ディスク（以下、便宜上「書き換え可能型光ディスク」ともいう）では、マーク領域を形成する時には、特殊合金を第１の温度に加熱したのち急冷し、アモルファス（非晶質）状態にしている。一方、スペース領域を形成する時には、特殊合金を第２の温度（＜第１の温度）に加熱したのち徐冷し、結晶状態にしている。これにより、マーク領域ではスペース領域よりも反射率が低くなる。このような特殊合金の温度制御はレーザ光の発光パワーを制御することによって行なわれる。なお、蓄熱の影響を除去するために、マーク領域を形成するときの発光パワーを複数のパルスに分割（マルチパルス化）することが行なわれている（例えば、特許文献１〜特許文献３参照）。このような発光パワーの制御方式はマルチパルス記録方式とも呼ばれている。マルチパルス化された発光パワーの最大値は加熱パワー（記録パワー）、最小値は冷却パワーとも呼ばれている。また、スペース領域を形成するときの発光パワーはイレーズパワー（加熱パワー＞イレーズパワー＞冷却パワー）とも呼ばれている。
【０００７】
上記発光パワーは、記録品質に大きな影響を与えるため、発光パワーを精度良く制御するための装置及び方法が種々提案されている（例えば、特許文献４〜特許文献６参照）。
【０００８】
光ディスクの利用が一般化するにつれて、記録速度のさらなる高速化に対する要求が高まっている。記録速度が高速化すると、マーク領域及びスペース領域を従来よりも短時間で形成しなければならないため、発光パワーを更に精度良く制御する必要がある。しかしながら、特許文献４〜特許文献６に開示されている装置及び方法では、今後記録速度が更に高速化すると、例えば記録に先立って行われるＯＰＣ（Optimum Power Control）で得られた記録パワーが必ずしも最適な記録パワーとはならず、記録品質が低下するおそれがある。
【０００９】
【特許文献１】特開平１０−１０６００８号公報
【特許文献２】特開平１１−２３２６５１号公報
【特許文献３】特開２００１−２２９５６４号公報
【特許文献４】特開平６−３３８０７３号公報
【特許文献５】特開平７−１５３１０６号公報
【特許文献６】特許第２７４４０４３号公報
【発明の開示】
【発明が解決しようとする課題】
【００１０】
本発明は、かかる事情の下になされたもので、その第１の目的は、光ディスクに情報を記録する際のレーザ光の記録パワーを精度良く決定することができる記録パワー決定方法及び記録パワー決定装置を提供することにある。
【００１１】
また、本発明の第２の目的は、記録品質に優れた記録を高速度で行うことができる光ディスク装置を提供することにある。
【課題を解決するための手段】
【００１２】
請求項１に記載の発明は、光ディスクの記録面に情報を記録する際のレーザ光の記録パワーを決定する記録パワー決定方法であって、前記光ディスクの記録面における所定の既記録領域からの反射光に基づいて取得された前記既記録領域の反射率に関する値及びベータ値に基づいて前記記録パワーを決定する工程を含む記録パワー決定方法である。
【００１３】
なお、本明細書では、「反射率に関する値」は、反射率そのものだけでなく、反射率に変換することができる値、及び反射率の変化に応じて変化する値などを含む。また、「記録品質に関する値」は、記録品質の変化に応じて変化する値を含み、記録品質の評価に利用することができる値である。
【００１４】
既にデータが記録されている既記録領域では、その領域にデータが書き込まれたときの記録パワーに応じた、反射率に関する値及びベータ値がそれぞれ取得される。本発明によれば、光ディスクの記録面における所定の既記録領域からの反射光に基づいて取得された既記録領域の反射率に関する値及びベータ値に基づいて光ディスクに情報を記録する際のレーザ光の記録パワーが決定される。そこで、反射率に関する値とベータ値とを含む情報は、反射率に関する値に対する記録パワーの影響とベータ値に対する記録パワーの影響とが重畳され、記録パワーに対して高い感度特性を有することとなる。従って、光ディスクに情報を記録する際のレーザ光の記録パワーを精度良く決定することが可能となる。
【００１５】
この場合において、請求項２に記載の記録パワー決定方法の如く、前記工程では、前記反射率に関する値Ｒ、前記ベータ値β、既知の係数ａ及びｂを用いて、（ａ×β）＋（ｂ×Ｒ）で示される値に基づいて、前記記録パワーを決定することとすることができる。
【００１６】
この場合において、請求項３に記載の記録パワー決定方法の如く、前記係数ａ及びｂの少なくとも一方は、前記光ディスクのベンダーに対応していることとすることができる。
【００１７】
上記請求項２及び３に記載の各記録パワー決定方法において、請求項４に記載の記録パワー決定方法の如く、前記係数ａ及びｂの少なくとも一方は、前記情報を記録する際の前記光ディスクの線速度に対応していることとすることができる。
【００１８】
上記請求項１〜４に記載の各記録パワー決定方法において、請求項５に記載の記録パワー決定方法の如く、前記光ディスクは、ＤＶＤ＋Ｒ又はＤＶＤ＋ＲＷの規格に準拠した光ディスクであることとすることができる。
【００１９】
この場合において、請求項６に記載の記録パワー決定方法の如く、前記反射率に関する値は、前記既記録領域からの反射光に基づいて取得されたＨＦ信号の平均レベルＩave、及び前記既記録領域に所定のデータが書き込まれたときのレーザ光のパワーＰwを用いて、（Ｉave÷Ｐw）で示される値であることとすることができる。
【００２０】
上記請求項５に記載の記録パワー決定方法において、請求項７に記載の記録パワー決定方法の如く、前記反射率に関する値は、前記既記録領域からの反射光に基づいて取得されたＨＦ信号の平均レベルＩave、及び前記ＨＦ信号の振幅Ｉwを用いて、（Ｉave÷Ｉw）で示される値であることとすることができる。
【００２１】
上記請求項１〜７に記載の各記録パワー決定方法において、請求項８に記載の記録パワー決定方法の如く、前記既記録領域は、所定のテスト用データが書き込まれた試し書き領域であることとすることができる。かかる場合には、前記ＯＰＣにおいて、記録パワーを精度良く決定することが可能となる。
【００２２】
上記請求項１〜７に記載の各記録パワー決定方法において、請求項９に記載の記録パワー決定方法の如く、前記既記録領域は、直前にユーザデータが書き込まれた領域であることとすることができる。かかる場合には、いわゆるランニングＯＰＣにおいて、記録パワーを精度良く決定することが可能となる。
【００２３】
請求項１０に記載の発明は、光ディスクの記録面に情報を記録する際のレーザ光の記録パワーを決定する記録パワー決定装置であって、前記光ディスクの記録面における所定の既記録領域からの反射光に基づいて前記既記録領域の反射率に関する値を取得する反射率取得手段と；前記既記録領域からの反射光に基づいてベータ値を取得するベータ値取得手段と；前記反射率に関する値及びベータ値に基づいて前記記録パワーを決定する決定手段と；を備える記録パワー決定装置である。
【００２４】
これによれば、光ディスクの記録面における所定の既記録領域からの反射光に基づいて、反射率取得手段により既記録領域の反射率に関する値が取得され、ベータ値取得手段によりベータ値が取得される。そして、決定手段により反射率に関する値及びベータ値に基づいて光ディスクに情報を記録する際のレーザ光の記録パワーが決定される。既記録領域では、その領域にデータが書き込まれたときの記録パワーに応じた、反射率に関する値及びベータ値がそれぞれ取得される。そこで、反射率に関する値とベータ値とを含む情報は、反射率に関する値に対する記録パワーの影響とベータ値に対する記録パワーの影響とが重畳され、記録パワーに対して高い感度特性を有することとなる。従って、光ディスクに情報を記録する際のレーザ光の記録パワーを精度良く決定することが可能となる。
【００２５】
この場合において、請求項１１に記載の記録パワー決定装置の如く、前記決定手段は、前記反射率に関する値Ｒ、前記ベータ値β、既知の係数ａ及びｂを用いて、（ａ×β）＋（ｂ×Ｒ）で示される値に基づいて前記記録パワーを決定することとすることができる。
【００２６】
この場合において、請求項１２に記載の記録パワー決定装置の如く、前記係数ａ及びｂの少なくとも一方は、前記光ディスクのベンダーに対応していることとすることができる。
【００２７】
上記請求項１１及び１２に記載の各記録パワー決定装置において、請求項１３に記載の記録パワー決定装置の如く、前記係数ａ及びｂの少なくとも一方は、前記情報を記録する際の前記光ディスクの線速度に対応していることとすることができる。
【００２８】
上記請求項１０〜１３に記載の各記録パワー決定装置において、請求項１４に記載の記録パワー決定装置の如く、前記光ディスクはＤＶＤ＋Ｒ又はＤＶＤ＋ＲＷの規格に準拠した光ディスクであることとすることができる。
【００２９】
この場合において、請求項１５に記載の記録パワー決定装置の如く、前記反射率取得手段は、前記既記録領域からの反射光に基づいて取得されたＨＦ信号の平均レベルＩave、及び前記既記録領域にデータが書き込まれたときのパワーＰwを用いて、（Ｉave÷Ｐw）で示される値を前記反射率に関する値として取得することとすることができる。
【００３０】
上記請求項１４に記載の記録パワー決定装置において、請求項１６に記載の記録パワー決定装置の如く、前記反射率取得手段は、前記既記録領域からの反射光に基づいて取得されたＨＦ信号の平均レベルＩave、及び前記ＨＦ信号の振幅Ｉwを用いて、（Ｉave÷Ｉw）で示される値を前記反射率に関する値として取得することとすることができる。
【００３１】
上記請求項１０〜１６に記載の各記録パワー決定装置において、請求項１７に記載の記録パワー決定装置の如く、前記既記録領域は、所定のテスト用データが書き込まれた試し書き領域であることとすることができる。かかる場合には、前記ＯＰＣにおいて、記録パワーを精度良く決定することが可能となる。
【００３２】
上記請求項１０〜１６に記載の各記録パワー決定装置において、請求項１８に記載の記録パワー決定装置の如く、前記既記録領域は、直前にユーザデータが書き込まれた領域であることとすることができる。かかる場合には、いわゆるランニングＯＰＣにおいて、記録パワーを精度良く決定することが可能となる。
【００３３】
請求項１９に記載の発明は、光ディスクにレーザ光を照射して、情報の記録、再生及び消去のうち少なくとも記録を行なう光ディスク装置であって、前記レーザ光の記録パワーを決定する請求項１０〜１８のいずれか一項に記載の記録パワー決定装置と；前記決定された記録パワーで前記光ディスクにデータを記録するデータ記録手段と；を備える光ディスク装置である。
【００３４】
これによれば、請求項１０〜１８のいずれか一項に記載の記録パワー決定装置を備えているために、光ディスクに情報を記録する際のレーザ光の記録パワーを精度良く決定することができる。従って、結果として記録品質に優れた記録を高速度で行うことが可能となる。
【発明を実施するための最良の形態】
【００３５】
以下、本発明の一実施形態を図１〜図１１に基づいて説明する。図１には、本発明の一実施形態に係る光ディスク装置２０の概略構成が示されている。
【００３６】
この図１に示される光ディスク装置２０は、シークモータ２１、スピンドルモータ２２、光ピックアップ装置２３、レーザコントロール回路２４、エンコーダ２５、モータドライバ２６、ＰＵドライバ２７、再生信号処理回路２８、モータコントローラ２９、サーボコントローラ３３、バッファＲＡＭ３４、バッファマネージャ３７、インターフェース３８、フラッシュメモリ３９、ＣＰＵ４０及びＲＡＭ４１などを備えている。なお、図１における接続線は、代表的な信号や情報の流れを示すものであり、各ブロックの接続関係の全てを表すものではない。なお、本実施形態では、一例としてＤＶＤ＋Ｒの規格に準拠した情報記録媒体が光ディスク１５に用いられるものとする。
【００３７】
前記シークモータ２１は、スレッジ方向（図２ではＺ軸方向）に光ピックアップ装置２３を駆動するためのモータである。前記スピンドルモータ２２は、光ディスク１５を回転駆動するためのモータである。
【００３８】
前記光ピックアップ装置２３は、トラックが形成された光ディスク１５の記録面にレーザ光を照射するとともに、記録面からの反射光を受光するための装置である。この光ピックアップ装置２３は、一例として図２に示されるように、光源ユニット５１、コリメートレンズ５２、ビームスプリッタ５４、対物レンズ６０、検出レンズ５８、受光器ＰＤ、及び駆動系（フォーカシングアクチュエータ及びトラッキングアクチュエータ（いずれも図示省略））などを備えている。
【００３９】
前記光源ユニット５１は、波長が６６０ｎｍのレーザ光を発光する光源としての半導体レーザＬＤを含んで構成されている。なお、本実施形態では、光源ユニット５１から出射されるレーザ光の光束の最大強度出射方向を＋Ｘ方向とする。
【００４０】
前記コリメートレンズ５２は、光源ユニット５１の＋Ｘ側に配置され、光源ユニット５１から出射された光束を略平行光とする。
【００４１】
前記ビームスプリッタ５４は、コリメートレンズ５２の＋Ｘ側に配置され、コリメートレンズ５２で略平行光とされた光束をそのまま透過させる。また、このビームスプリッタ５４は、光ディスク１５の記録面で反射され、前記対物レンズ６０を介して入射する光束（戻り光束）を−Ｚ方向に分岐する。
【００４２】
前記対物レンズ６０は、ビームスプリッタ５４の＋Ｘ側に配置され、ビームスプリッタ５４を透過した光束を光ディスク１５の記録面に集光する。
【００４３】
前記検出レンズ５８は、ビームスプリッタ５４の−Ｚ側に配置され、ビームスプリッタ５４で−Ｚ方向に分岐された戻り光束を前記受光器ＰＤの受光面に集光する。受光器ＰＤは、通常の光ピックアップ装置と同様に、ウォブル信号情報、再生データ情報、フォーカスエラー情報及びトラックエラー情報などを含む複数の信号を再生信号処理回路２８に出力する。
【００４４】
前記フォーカシングアクチュエータ（図示省略）は、対物レンズ６０の光軸方向であるフォーカス方向（図２ではＸ軸方向）に対物レンズ６０を微少駆動するためのアクチュエータである。
【００４５】
前記トラッキングアクチュエータ（図示省略）は、トラックの接線方向に直交する方向であるトラッキング方向（図２ではＺ軸方向）に対物レンズ６０を微少駆動するためのアクチュエータである。
【００４６】
前記再生信号処理回路２８は、図３に示されるように、Ｉ／Ｖアンプ２８ａ、サーボ信号検出回路２８ｂ、ウォブル信号検出回路２８ｃ、ＨＦ信号検出回路２８ｄ、デコーダ２８ｅ、平均レベル検出回路２８ｆ及びホールド回路２８ｇなどから構成されている。なお、図３における矢印は、代表的な信号や情報の流れを示すものであり、各ブロックの接続関係の全てを表すものではない。
【００４７】
上記Ｉ／Ｖアンプ２８ａは、受光器ＰＤからの電流信号を電圧信号に変換するとともに、所定のゲインで増幅する。
【００４８】
前記サーボ信号検出回路２８ｂは、Ｉ／Ｖアンプ２８ａの出力信号に基づいてサーボ信号（フォーカスエラー信号及びトラックエラー信号など）を検出する。ここで検出されたサーボ信号はサーボコントローラ３３に出力される。
【００４９】
前記ウォブル信号検出回路２８ｃは、Ｉ／Ｖアンプ２８ａの出力信号に基づいてウォブル信号（Ｓwbとする）を検出する。ここで検出されたウォブル信号Ｓwbは、デコーダ２８ｅに出力される。
【００５０】
前記ＨＦ信号検出回路２８ｄは、Ｉ／Ｖアンプ２８ａの出力信号に基づいてＨＦ信号（Ｓhfとする）を検出する。ここで検出されたＨＦ信号Ｓhfは、デコーダ２８ｅ、平均レベル検出回路２８ｆ、及びホールド回路２８ｇに出力される。
【００５１】
前記デコーダ２８ｅは、ウォブル信号Ｓwbからアドレス情報や同期情報などを抽出する。ここで抽出されたアドレス情報はＣＰＵ４０に出力され、同期情報はクロック信号Ｗckとしてエンコーダ２５及びモータコントーラ２９などに出力される。また、デコーダ２８ｅは、ＨＦ信号Ｓhfに対して復号処理及び誤り検出処理等を行い、誤りが検出されたときには誤り訂正処理を行った後、再生データとしてバッファマネージャ３７を介してバッファＲＡＭ３４に格納する。なお、ＨＦ信号Ｓhfにはアドレス情報が含まれており、デコーダ２８ｅは、ＨＦ信号から抽出したアドレス情報をＣＰＵ４０に出力する。
【００５２】
前記平均レベル検出回路２８ｆは、ＨＦ信号Ｓhfの平均レベルＩaveを検出する。ここでは、一例として図４に示されるように、平均レベル検出回路２８ｆとして、抵抗ｆ１及びコンデンサｆ２からなるローパスフィルタが用いられる。ここで検出された平均レベルＩaveはＣＰＵ４０に出力される。
【００５３】
前記ホールド回路２８ｇは、ＨＦ信号Ｓhfのピークレベルとボトムレベルを検出する。ここでは、ホールド回路２８ｇは、一例として図４に示されるように、ＨＦ信号ＳhfをＡＣカップリングするためのコンデンサｇ１と抵抗ｇ４、ＡＣカップリング後のＨＦ信号Ｓhfのピークレベル（Ｉpとする）を検出するためのピークホールド回路ｇ２及びボトムレベル（Ｉbとする）を検出するためのボトムホールド回路ｇ３を有している。ここで検出されたピークレベルＩp及びボトムレベルＩbは、それぞれＣＰＵ４０に出力される。なお、ＣＰＵ４０では、次の（１）式に基づいてβ値が算出される。
β＝（Ｉｐ−Ｉｂ）÷（Ｉｐ＋Ｉｂ）  …（１）
【００５４】
図１に戻り、前記サーボコントローラ３３は、サーボ信号検出回路２８ｂからのフォーカスエラー信号に基づいてフォーカスずれを補正するためのフォーカス制御信号を生成するとともに、トラックエラー信号に基づいてトラックずれを補正するためのトラッキング制御信号を生成する。ここで生成された各制御信号は、サーボオンのときにＰＵドライバ２７に出力され、サーボオフのときには出力されない。サーボオン及びサーボオフはＣＰＵ４０によって設定される。
【００５５】
前記ＰＵドライバ２７は、上記フォーカス制御信号に対応した前記フォーカシングアクチュエータの駆動信号を光ピックアップ装置２３に出力し、上記トラッキング制御信号に対応した前記トラッキングアクチュエータの駆動信号を光ピックアップ装置２３に出力する。すなわち、サーボ信号検出回路２８ｂ、サーボコントローラ３３及びＰＵドライバ２７によってトラッキング制御及びフォーカス制御が行われる。
【００５６】
前記モータコントローラ２９は、ＣＰＵ４０の指示に基づいて前記スピンドルモータ２２の回転を制御するための回転制御信号を生成する。また、モータコントローラ２９は、ＣＰＵ４０の指示に基づいて前記シークモータ２１の駆動を制御するためのシーク制御信号を生成する。ここで生成された各制御信号はモータドライバ２６に出力される。
【００５７】
前記モータドライバ２６は、上記回転制御信号に対応した駆動信号をスピンドルモータ２２に出力し、かつ上記シーク制御信号に対応した駆動信号をシークモータ２１に出力する。
【００５８】
前記バッファＲＡＭ３４は、光ディスク１５に記録するデータ（記録用データ）、及び光ディスク１５から再生したデータ（再生データ）などが一時的に格納されるバッファ領域と、各種プログラム変数などが格納される変数領域とを有している。
【００５９】
前記バッファマネージャ３７は、バッファＲＡＭ３４へのデータの入出力を管理する。そして、バッファＲＡＭ３４のバッファ領域に蓄積されたデータ量が所定量になるとＣＰＵ４０に通知する。
【００６０】
前記エンコーダ２５は、ＣＰＵ４０の指示に基づいてバッファＲＡＭ３４に蓄積されている記録用データをバッファマネージャ３７を介して取り出し、データ変調及びエラー訂正コードの付加などを行ない、光ディスク１５への書き込み信号を生成する。ここで生成された書き込み信号は、前記クロック信号Ｗckとともにレーザコントロール回路２４に出力される。ここでは、一例として、エンコーダ２５、再生信号処理回路２８、バッファマネージャ３７及びインターフェース３８は、１つのＬＳＩに集積されている。
【００６１】
前記レーザコントロール回路２４は、光ディスク１５に照射されるレーザ光のパワーを制御する。例えば記録の際には、記録条件、半導体レーザＬＤの発光特性、エンコーダ２５からの書き込み信号及びクロック信号Ｗckなどに基づいて半導体レーザＬＤの駆動信号が生成される。
【００６２】
前記インターフェース３８は、ホストとの双方向の通信インターフェースであり、一例としてＡＴＡＰＩ（AT Attachment Packet Interface）の規格に準拠している。
【００６３】
前記フラッシュメモリ３９はプログラム領域とデータ領域とを備えており、プログラム領域には、ＣＰＵ４０にて解読可能なコードで記述されたプログラムが格納されている。一方、データ領域には、半導体レーザＬＤの発光特性に関する情報、光ピックアップ装置２３のシーク動作に関する情報（以下「シーク情報」ともいう）、記録条件、係数テーブル及び最適値テーブルなどが格納されている。この係数テーブルには、一例として図５に示されるように、記録品質に関する値（Ｋとする）を算出するための係数ａ及びｂがベンダー毎及び記録時の線速度毎に格納されている。係数ａ及びｂは、例えば実験、シミュレーション及び理論計算などに基づいて、例えば光ディスク装置２０の製造工程、検査工程及び調整工程のうちの少なくともいずれかの工程において取得され、係数テーブルに格納されている。また、最適値テーブルには、記録品質に関する値Ｋの最適値（Ｋopとする）がベンダー毎及び記録時の線速度毎に格納されている。この最適値Ｋopは、例えば実験、シミュレーション及び理論計算などに基づいて、ジッタが最小値となるときの記録品質に関する値として、例えば光ディスク装置２０の製造工程、検査工程及び調整工程のうちの少なくともいずれかの工程において取得され、最適値テーブルに格納されている。係数テーブル及び最適値テーブルは記録パワーを決定する際にそれぞれＣＰＵ４０から参照される。
【００６４】
なお、本実施形態では、一例として上記記録品質に関する値Ｋは次の（２）式に基づいて算出される。ここで、βは前記（１）式に基づいて算出されるβ値であり、Ｒは次の（３）式に基づいて算出される反射率に関する値である。また、Ｉaveは前記ＨＦ信号Ｓhfの平均レベルであり、Ｐwは記録パワーである。
Ｋ＝（ａ×β）＋（ｂ×Ｒ）  …（２）
Ｒ＝Ｉave÷Ｐw  …（３）
【００６５】
本実施形態では、例えばベンダーv１の光ディスクでは、線速度がｗ１のときはａ＝１、ｂ＝０、線速度がｗ２のときはａ＝０.８、ｂ＝−０.２、線速度がｗ３のときはａ＝０.６、ｂ＝−０.４である。また、ベンダーv２の光ディスクでは、線速度がｗ１のときはａ＝０.８、ｂ＝−０.２、線速度がｗ２のときはａ＝０.５、ｂ＝−０.５、線速度がｗ３のときはａ＝０.４、ｂ＝−０.６である。
【００６６】
前記ＣＰＵ４０は、フラッシュメモリ３９のプログラム領域に格納されているプログラムに従って上記各部の動作を制御するとともに、制御に必要なデータなどをバッファＲＡＭ３４の変数領域及びＲＡＭ４１に保存する。なお、ＣＰＵ４０には不図示のＡ／Ｄ変換器及びＤ／Ａ変換器が併設されており、アナログ信号はＡ／Ｄ変換器を介してＣＰＵ４０に入力されるようになっている。また、ＣＰＵ４０からの信号はＤ／Ａ変換器を介してアナログ回路に出力されるようになっている。
【００６７】
《記録処理》
次に、ホストからの記録要求コマンドを受信したときの光ディスク装置２０における処理（記録処理）について図６を用いて簡単に説明する。図６のフローチャートは、ＣＰＵ４０によって実行される一連の処理アルゴリズムに対応し、ホストから記録要求コマンドを受信すると、図６のフローチャートに対応するプログラムの先頭アドレスがＣＰＵ４０のプログラムカウンタにセットされ、記録処理がスタートする。
【００６８】
最初のステップ５０１では、スピンドルモータ２２が記録速度に応じて回転するようにモータコントローラ２９に指示するとともに、ホストから記録要求コマンドを受信した旨を再生信号処理回路２８に通知する。また、ホストから受信したデータ（記録用データ）のバッファＲＡＭ３４への蓄積をバッファマネージャ３７に指示する。
【００６９】
次のステップ５０３では、光ディスク１５が所定の線速度で回転していることを確認すると、サーボコントローラ３３に対してサーボオンを設定する。これにより、前述の如く、トラッキング制御及びフォーカス制御が行われる。なお、トラッキング制御及びフォーカス制御は記録処理が終了するまで随時行われる。
【００７０】
次のステップ５０５では、光ディスク１５のベンダー情報を取得する。なお、光ディスクのベンダー情報は、光ディスク１５が光ディスク装置２０にローディング（マウント）されたときにＡＤＩＰ（Address In Pregroove）情報から取得され、ＲＡＭ４１に格納されている。
【００７１】
次のステップ５０７では、フラッシュメモリ３９のデータ領域を参照し、前記係数テーブルからベンダー情報及び記録時の線速度に対応する係数ａ及びｂを抽出する。
【００７２】
次のステップ５０９では、ループカウンタ（ｎとする）に初期値１をセットする。
【００７３】
次のステップ５１１では、予め設定されているｎ（ここではｎ＝１）番目の発光パワーを記録パワーに設定する。
【００７４】
次のステップ５１３では、試し書きを行なう。すなわち、上記設定された記録パワーでＰＣＡ（Power Calibration Area）と呼ばれる試し書き領域に所定のテスト用データを書き込む。
【００７５】
次のステップ５１５では、ループカウンタｎを参照し、ｎの値が予め設定されている値Ｎopc（≧２）未満であるか否かを判断する。ここではｎ＝１であるため、ここでの判断は肯定されステップ５１７に移行する。
【００７６】
このステップ５１７では、ループカウンタｎの値に１を加算する。そして、前記ステップ５１１に戻る。
【００７７】
以下、ループカウンタｎの値がＮopc以上になるまで、前記ステップ５１１〜５１７のループ処理を繰り返し行なう。
【００７８】
ループカウンタｎの値がＮopc以上になると、前記ステップ５１５での判断は否定されステップ５１９に移行する。
【００７９】
このステップ５１９では、上記試し書き領域の再生を指示し、記録パワー毎に、ホールド回路２８ｇの出力信号から得られるＩp及びＩｂの値をそれぞれ前記（１）式に代入してβ値を取得するとともに、平均レベル検出回路２８ｆの出力信号から得られるＩaveの値と記録パワーとをそれぞれ前記（３）式に代入して反射率に関する値Ｒを取得する。
【００８０】
次のステップ５２１では、前記ステップ５０７で抽出した係数ａ及びｂの値、上記ステップ５１９で取得したβ値及び反射率に関する値Ｒをそれぞれ前記（２）式に代入し、記録パワー毎に、記録品質に関する値Ｋを算出する。これにより、一例として図８に示されるように、記録パワーと記録品質に関する値Ｋとの関係を求めることができる。
【００８１】
次のステップ５２３では、フラッシュメモリ３９のデータ領域を参照し、前記最適値テーブルからベンダー情報及び記録時の線速度に対応する最適値Ｋopを抽出する。そして、上記記録パワーと記録品質に関する値Ｋとの関係に基づいて最適値Ｋopに対応する記録パワー（Ｐopとする）を求める。ここでは、一例として近似演算あるいは補間演算により記録パワーＰopを求める。
【００８２】
次のステップ５２５では、上記記録パワーＰopを最適な記録パワーとしてＲＡＭ４１に保存する。すなわち、前記ステップ５０５〜５２５の処理により、いわゆるＯＰＣが行われることとなる。そして、図７のステップ６０１に移行する
【００８３】
このステップ６０１では、デコーダ２８ｅからのアドレス情報に基づいて現在のアドレスを取得する。
【００８４】
次のステップ６０３では、現在のアドレスと記録要求コマンドから抽出した目標アドレスとの差分（アドレス差）を算出する。
【００８５】
次のステップ６０５では、アドレス差に基づいてシークが必要であるか否かを判断する。ここでは、前記シーク情報の一つとしてフラッシュメモリ３９に格納されている閾値を参照し、アドレス差が閾値を越えていれば、ここでの判断は肯定され、ステップ６０７に移行する。
【００８６】
このステップ６０７では、シークモータ２１の駆動をモータコントローラ２９に指示する。これにより、シークモータ２１が駆動し、アドレス差が小さくなるようにシーク動作が行なわれる。そして、前記ステップ６０１に戻る。
【００８７】
以下、アドレス差が閾値以下になるまで、上記ステップ６０１〜６０７のループ処理を繰り返し行う。
【００８８】
前記ステップ６０５において、アドレス差が閾値以下であれば、ここでの判断は否定され、ステップ６０９に移行する。
【００８９】
このステップ６０９では、現在のアドレスが目標アドレスと一致しているか否かを判断する。現在のアドレスが目標アドレスと一致していなければ、ここでの判断は否定され、ステップ６１１に移行する。
【００９０】
このステップ６１１では、、デコーダ２８ｅからのアドレス情報に基づいて現在のアドレスを取得する。そして、前記ステップ６０９に戻る。
【００９１】
以下、前記ステップ６０９での判断が肯定されるまで、ステップ６０９、６１１のループ処理を繰り返し行う。
【００９２】
前記ステップ６０９において、現在のアドレスが目標アドレスと一致していれば、ここでの判断は肯定され、ステップ６１３に移行する。
【００９３】
このステップ６１３では、全ての記録用データが光ディスク１５に書き込まれているか否かを判断する。ここでは、まだ書き込みが行われていないので、ここでの判断は否定され、ステップ６１５に移行する。
【００９４】
このステップ６１５では、エンコーダ２５へのライト信号をオンに設定する。これにより、記録用データは、エンコーダ２５、レーザコントロール回路２４及び光ピックアップ装置２３を介して光ディスク１５に書き込まれる。
【００９５】
次のステップ６１７では、所定量（例えば１ＥＣＣブロック）の書き込みが終了したか否かを判断する。所定量の書き込みが終了していなければ、ここでの判断は否定され、所定量の書き込みが終了するまで待機する。所定量の書き込みが終了していれば、ここでの判断は肯定されステップ６１９に移行する。
【００９６】
このステップ６１９では、ライト信号をオフに設定する。そして、直前の書き込み領域の再生を指示する。
【００９７】
次のステップ６２１では、前記ステップ５１９と同様にしてβ値及び反射率に関する値Ｒを取得する。
【００９８】
次のステップ６２３では、前記ステップ５２１と同様にして記録品質に関する値Ｋを算出する。
【００９９】
次のステップ６２５では、上記ステップ６２３で算出された記録品質に関する値Ｋ（以下便宜上、「算出値Ｋ」ともいう）と最適値Ｋopとの差分が予め設定されている許容値（ΔＫとする）以下であるか否かを判断する。例えば算出値Ｋと最適値Ｋopとの差分が許容値ΔＫを超えていれば、ここでの判断は否定され、ステップ６２７に移行する。
【０１００】
このステップ６２７では、算出値Ｋと最適値Ｋopとの差に基づいて記録パワーを補正する。例えば、算出値Ｋが最適値Ｋopよりも大きい場合には、算出値Ｋと最適値Ｋopとの差に対応するパワーを記録パワーから減算する。一方、算出値Ｋが最適値Ｋopよりも小さい場合には、最適値Ｋopと算出値Ｋとの差に対応するパワーを記録パワーに加算する。そして、前記ステップ６１３に戻る。すなわち、前記ステップ６１９〜６２７の処理により、いわゆるランニングＯＰＣが行われることとなる。
【０１０１】
一方、前記ステップ６２５において、算出値Ｋと最適値Ｋopとの差分が許容値ΔＫ以下であれば、ここでの判断は肯定され、前記ステップ６１３に戻る。すなわち、記録パワーの補正は行われない。
【０１０２】
また、前記ステップ６１３において、全ての記録用データが書き込まれていると、ステップ６１３での判断は肯定され、所定の終了処理を行った後、記録処理を終了する。
【０１０３】
《再生処理》
さらに、ホストから再生要求コマンドを受信したときの光ディスク装置２０における処理（再生処理）について図９を用いて説明する。図９のフローチャートは、ＣＰＵ４０によって実行される一連の処理アルゴリズムに対応し、ホストから再生要求コマンドを受信すると、図９のフローチャートに対応するプログラムの先頭アドレスがＣＰＵ４０のプログラムカウンタにセットされ、再生処理がスタートする。
【０１０４】
最初のステップ７０１では、スピンドルモータ２２が再生速度に応じて回転するようにモータコントローラ２９に指示するとともに、ホストから再生要求コマンドを受信した旨を再生信号処理回路２８に通知する。
【０１０５】
次のステップ７０３では、光ディスク１５が所定の線速度で回転していることを確認すると、サーボコントローラ３３に対してサーボオンを設定する。これにより、前述の如くトラッキング制御及びフォーカス制御が行われる。なお、トラッキング制御及びフォーカス制御は再生処理が終了するまで随時行われる。また、トラックのアドレス情報はＨＦ信号に基づいて随時デコーダ２８ｅからＣＰＵ４０に出力される。
【０１０６】
次のステップ７０５では、、デコーダ２８ｅからのアドレス情報に基づいて現在のアドレスを取得する。
【０１０７】
次のステップ７０７では、現在のアドレスと再生要求コマンドから抽出した目標アドレスとの差分（アドレス差）を算出する。
【０１０８】
次のステップ７０９では、前記ステップ６０５と同様にして、シークが必要であるか否かを判断する。シークが必要であれば、ここでの判断は肯定され、ステップ７１１に移行する。
【０１０９】
このステップ７１１では、シークモータ２１の駆動をモータコントローラ２９に指示する。これにより、シークモータ２１が駆動し、アドレス差が小さくなるようにシーク動作が行なわれる。そして、前記ステップ７０５に戻る。
【０１１０】
以下、アドレス差が閾値以下になるまで、上記ステップ７０５〜７１１のループ処理を繰り返し行う。
【０１１１】
前記ステップ７０９において、アドレス差が閾値以下であれば、ここでの判断は否定され、ステップ７１３に移行する。
【０１１２】
このステップ７１３では、現在のアドレスが目標アドレスと一致しているか否かを判断する。現在のアドレスが目標アドレスと一致していなければ、ここでの判断は否定され、ステップ７１５に移行する。
【０１１３】
このステップ７１５では、、デコーダ２８ｅからのアドレス情報に基づいて現在のアドレスを取得する。そして、前記ステップ７１３に戻る。
【０１１４】
以下、前記ステップ７１３での判断が肯定されるまで、ステップ７１３、７１５のループ処理を繰り返し行う。
【０１１５】
現在のアドレスが目標アドレスと一致すれば、前記ステップ７１３での判断は肯定され、ステップ７１７に移行する。
【０１１６】
このステップ７１７では、再生信号処理回路２８に読み取りを指示する。これにより、前述した如く再生信号処理回路２８にて再生データが取得され、バッファＲＡＭ３４に格納される。この再生データはセクタ単位でバッファマネージャ３７及びインターフェース３８を介してホストに転送される。そして、ホストから指定されたデータの再生がすべて終了すると、所定の終了処理を行った後、再生処理を終了する。
【０１１７】
以上の説明から明らかなように、本実施形態に係る光ディスク装置２０では、再生信号処理回路２８と、ＣＰＵ４０及び該ＣＰＵ４０によって実行されるプログラムとによって、記録パワー決定装置が実現されている。すなわち、平均レベル検出回路２８ｆとＣＰＵ４０及び該ＣＰＵ４０によって実行されるプログラムとによって反射率取得手段が実現され、ホールド回路２８ｇとＣＰＵ４０及び該ＣＰＵ４０によって実行されるプログラムとによってベータ値検出手段が実現され、ＣＰＵ４０及び該ＣＰＵ４０によって実行されるプログラムによって決定手段が実現されている。また、光ピックアップ装置２３とＣＰＵ４０及び該ＣＰＵ４０によって実行されるプログラムとによって、データ記録手段が実現されている。しかしながら、本発明がこれに限定されるものではないことは勿論である。すなわち、上記実施形態は一例に過ぎず、上記のＣＰＵ４０によるプログラムに従う処理によって実現した各手段の少なくとも一部をハードウェアによって構成することとしても良い。
【０１１８】
そして、図６では、ステップ５０５〜５２３での処理によって、本発明に係る記録パワー決定方法が実施されている。また、図７では、ステップ６１９〜６２７での処理によって、本発明に係る記録パワー決定方法が実施されている。
【０１１９】
以上説明したように、本実施形態によると、ホストから記録要求コマンドを受信すると、記録パワーを段階的に変化させつつ、ＰＣＡ領域に所定のテストデータを試し書きする。その後、それらのテストデータを順次再生し、光ディスク１５のベンダー情報及び線速度に対応して係数テーブルから抽出された係数ａ及びｂと、ＨＦ信号から検出された反射率に関する値Ｒ及びβ値（ベータ値）とに基づいて、記録品質に関する値Ｋを記録パワー毎に取得する。そして、記録品質に関する値Ｋと記録パワーとの関係に基づいて、光ディスク１５のベンダー情報及び線速度に対応して最適値テーブルから抽出された最適値Ｋopに対応する記録パワーＰopを求め、その記録パワーＰopを最適な記録パワーとしている。
【０１２０】
データが書き込まれている領域（既記録領域）では、その領域にデータが書き込まれたときの記録パワーに応じた、反射率に関する値Ｒ及びβ値がそれぞれ取得される。そこで、記録品質に関する値Ｋには反射率に関する値Ｒに対する記録パワーの影響とβ値に対する記録パワーの影響とが重畳されることとなる。これにより、記録品質に関する値Ｋは、記録パワーに対して高い感度特性を有するとともに、記録パワーの変化に応じてほぼ一様に変化する。従って、光ディスクに情報を記録する際のレーザ光の記録パワーを精度良く決定することが可能となる。
【０１２１】
また、記録品質に関する値Ｋと記録パワーとの関係（図８参照）は、β値と記録パワーとの関係（図１０参照）及び反射率に関する値Ｒと記録パワーとの関係（図１１参照）に比べて、単純な近似式で表すことが可能であり、β値と記録パワーとの関係及び反射率に関する値と記録パワーとの関係の一方を用いる場合に比べて、記録パワーを精度良く決定することができる。
【０１２２】
また、本実施形態によると、所定量（例えば１ＥＣＣブロック）のユーザデータを書き込む度に、直前に書き込んだ領域を再生し、光ディスク１５のベンダー情報及び線速度に対応して係数テーブルから抽出された係数ａ及びｂ、ＨＦ信号から検出された反射率に関する値及びβ値に基づいて記録品質に関する値Ｋを取得する。そして、光ディスク１５のベンダー情報及び線速度に対応して最適値テーブルから抽出された最適値Ｋopとの差に基づいて記録パワーを補正している。これにより、ユーザデータの書き込み中に温度変化などにより半導体レーザＬＤの発光特性が変化しても、常に最適な記録パワーを精度良く決定することができる。
【０１２３】
また、本実施形態によると、光ディスクに情報を記録する際のレーザ光の記録パワーを精度良く決定することができるため、結果として記録品質に優れた記録を高速度で行うことが可能となる。
【０１２４】
なお、上記実施形態では、前記（３）式に基づいて反射率に関する値Ｒを求める場合について説明したが、本発明がこれに限定されるものではない。例えば、次の（４）式に基づいて反射率に関する値Ｒを求めても良い。ここでＩwはＨＦ信号の振幅である。なお、この振幅ＩwはピークレベルＩpとボトムレベルＩbとの差から求めることができる。
Ｒ＝Ｉave÷Ｉw  …（４）
【０１２５】
また、上記実施形態では、書込みを中断してランニングＯＰＣを行なう場合について説明したが、本発明はこれに限定されるものではなく、書込みを中断せずにランニングＯＰＣを行なっても良い。但し、書込みながら取得した反射率に関する値は、書込みを中断して取得した反射率に関する値と大きく異なるため、前記最適値テーブルとは別に、ランニングＯＰＣ用の新たな最適値テーブルが必要となる。
【０１２６】
また、上記実施形態では、係数ａ、ｂがベンダー情報及び線速度毎に設定されている場合について説明したが、これに限定されるものではない。例えば、ベンダー情報及び線速度による係数ａ（又は係数ｂ）の違いが小さい場合には、係数ａ（又は係数ｂ）はベンダー情報及び線速度に関係なく、固定値であっても良い。また、係数ａ（又は係数ｂ）において、ベンダー情報による違いが小さく、線速度による違いが大きい場合には、係数ａ（又は係数ｂ）は線速度毎に設定されても良い。さらに、係数ａ（又は係数ｂ）において、ベンダー情報による違いが大きく、線速度による違いが小さい場合には、係数ａ（又は係数ｂ）はベンダー情報毎に設定されても良い。
【０１２７】
また、上記実施形態では、最適値がベンダー情報及び線速度毎に設定されている場合について説明したが、これに限定されるものではない。例えば、ベンダー情報及び線速度による最適値の違いが小さい場合には、最適値はベンダー情報及び線速度に関係なく、固定値であっても良い。また、ベンダー情報による違いが小さく、線速度による違いが大きい場合には、最適値は線速度毎に設定されても良い。さらに、ベンダー情報による違いが大きく、線速度による違いが小さい場合には、最適値はベンダー情報毎に設定されても良い。
【０１２８】
また、上記実施形態では、ホールド回路２８ｇの出力信号に基づいてＣＰＵ４０にてβ値を算出する場合について説明したが、これに限らず、例えばホールド回路２８ｇに前記（１）式に対応する演算を行う演算回路を付加しても良い。
【０１２９】
また、上記実施形態では、記録品質に関する値Ｋが反射率に関する値Ｒの１次の項とβ値の１次の項とを含む場合について説明したが、本発明はこれに限定されるものではなく、反射率に関する値Ｒ及びβ値の少なくとも一方の項が２次以上であっても良い。
【０１３０】
また、上記実施形態では、反射率に関する値Ｒが含まれる項とβ値が含まれる項とを加算した値を記録品質に関する値Ｋとする場合について説明したが、加算に限定されるものではない。
【０１３１】
また、上記実施形態では、光ディスク装置２０がＤＶＤ＋Ｒの規格に準拠した光ディスクに対応する場合について説明したが、これに限定されるものではなく、例えばＤＶＤ＋ＲＷの規格に準拠した光ディスクに対応しても良い。
【０１３２】
また、上記実施形態では、光ディスク装置として情報の記録及び再生が可能な光ディスク装置２０が用いられる場合について説明したが、これに限らず、情報の記録、再生及び消去のうち、少なくとも記録が可能な光ディスク装置であれば良い。
【０１３３】
また、上記実施形態では、光ピックアップ装置２３が１つの半導体レーザを備える場合について説明したが、これに限らず、例えば互いに異なる波長の光束を発光する複数の半導体レーザを備えていても良い。この場合に、例えば波長が約４０５ｎｍの光束を発光する半導体レーザ、波長が約６６０ｎｍの光束を発光する半導体レーザ及び波長が約７８０ｎｍの光束を発光する半導体レーザの少なくとも１つを含んでいても良い。すなわち、光ディスク装置が互いに異なる規格に準拠した複数種類の光ディスクに対応する光ディスク装置であっても良い。
【０１３４】
また、上記実施形態では、インターフェース３９がＡＴＡＰＩの規格に準拠する場合について説明したが、これに限らず、例えばＡＴＡ（AT Attachment）、ＳＣＳＩ（Small Computer System Interface）、ＵＳＢ（Universal Serial Bus）１．０、ＵＳＢ２．０、ＩＥＥＥ１３９４、ＩＥＥＥ８０２．３、シリアルＡＴＡ及びシリアルＡＴＡＰＩのうちのいずれかの規格に準拠しても良い。
【図面の簡単な説明】
【０１３５】
【図１】本発明の一実施形態に係る光ディスク装置の構成を示すブロック図である。
【図２】図１における光ピックアップ装置の構成を説明するための図である。
【図３】図１における再生信号処理回路の構成を説明するためのブロック図である。
【図４】図３の平均レベル検出回路及びホールド回路を説明するための図である。
【図５】係数テーブルを説明するための図である。
【図６】ホストからの記録要求コマンドに応じて行なわれる光ディスク装置における記録処理を説明するためのフローチャート（その１）である。
【図７】ホストからの記録要求コマンドに応じて行なわれる光ディスク装置における記録処理を説明するためのフローチャート（その２）である。
【図８】記録品質に関する値Ｋと記録パワーとの関係を説明するための図である。
【図９】ホストからの再生要求コマンドに応じて行なわれる光ディスク装置における再生処理を説明するためのフローチャートである。
【図１０】β値と記録パワーとの関係を説明するための図である。
【図１１】反射率に関する値Ｒと記録パワーとの関係を説明するための図である。
【符号の説明】
【０１３６】
１５…光ディスク、２０…光ディスク装置、２３…光ピックアップ装置（データ記録手段の一部）、２８ｆ…平均レベル検出回路（反射率取得手段の一部）、２８ｇ…ホールド回路（ベータ値取得手段の一部）、４０…ＣＰＵ（反射率取得手段の一部、ベータ値取得手段の一部、決定手段、データ記録手段の一部）。
【図１】
2005116027.tif 000003
【図２】
2005116027.tif 000004
【図３】
2005116027.tif 000005
【図４】
2005116027.tif 000006
【図５】
2005116027.tif 000007
【図６】
2005116027.tif 000008
【図７】
2005116027.tif 000009
【図８】
2005116027.tif 000010
【図９】
2005116027.tif 000011
【図１０】
2005116027.tif 000012
【図１１】
2005116027.tif 000013